(57)【要約】この発明は、コンピュータデータの保存方法に関し、当該方法は、保存するデータをクライアントコンピュータからバッファ記憶装置へ転送することであって、当該バッファ記憶装置は、バックアップサーバのハードディスクからなり、所定のサイズの複数のボリュームに編成される、転送することと、次に、データを上記バッファ記憶装置から最終媒体（たとえば磁気カートリッジ）上へ転送することとにある。この発明は、ボリュームをバッファ記憶装置から最終媒体上へ転送した後に、上記ボリュームの各々に固有の単一データシーケンス（基本データ）を上記永久媒体上に記録することにあり、当該方法はさらに、基本データを記録するデータベースを構成することにあるステップを含むことを特徴とする。【特許請求の範囲】
【請求項１】
バックアップするデータをクライアントコンピュータからバッファメモリへ転送することであって、該バッファメモリは、バックアップサーバのハードディスクからなり、所定のサイズを有する複数のボリュームに編成される、転送することと、次に、データを前記バッファメモリから永久媒体（たとえば磁気カートリッジ）上へ転送することとを含む、コンピュータデータの保存方法であって、前記ボリュームの各々に固有のデータシーケンス（基本データ）を該ボリュームの各々の後、かつ前記永久媒体上への転送後に該永久媒体上に記録し、当該方法はまた、前記基本データを保存するデータベースを作成するステップを含むことを特徴とする、コンピュータデータの保存方法。
【請求項２】
前記基本データは、ボリューム開始カートリッジ上の論理アドレスと、ボリューム終了カートリッジ上の論理アドレスとを含むことを特徴とする請求項１に記載のコンピュータデータの保存方法。
【請求項３】
前記基本データは、前記ボリュームのおおよそのサイズを含むことを特徴とする請求項１または２に記載のコンピュータデータの保存方法。
【請求項４】
前記基本データは、前記ボリュームをディスクキャッシュから前記カートリッジへ転送するために用いられるリーダの番号と、前記ボリュームが前記カートリッジへ転送された時点で位置するディスクの番号とを含むことを特徴とする請求項１乃至３のいずれか一項に記載のコンピュータデータの保存方法。
【請求項５】
前記基本データは、前記ボリュームが前記カートリッジへ転送される前に位置するディスクパーティションの番号を含むことを特徴とする請求項１乃至４のいずれか一項に記載のコンピュータデータの保存方法。
【請求項６】
前記基本データは、前記ディスクキャッシュの前記ボリュームを前記カートリッジへ転送するために用いられるプロセッサの番号を含むことを特徴とする請求項１乃至５のいずれか一項に記載のコンピュータデータの保存方法。
【請求項７】
前記基本データは、前記ボリュームを収容する前記カートリッジのバーコードおよび／または該カートリッジの名前を含むことを特徴とする請求項１乃至６のいずれか一項に記載のコンピュータデータの保存方法。
【請求項８】
前記基本データは、カートリッジのタイプを示す１６進コード、前記カートリッジ上に格納されるデータの合計サイズ、前記カートリッジの最大容量、カートリッジのロードカウンタの状態、前記ボリュームの状態を示す１６進コード、前記ボリュームが属する構成であるホストマシンの番号、ボリュームヘッダに用いられる文字コード、前記ホストマシンが行った最も最近の書き込みまたは変更の日付、該ホストマシンが行った最も最近の書き込みまたは変更の時刻、該ホストマシンによる前記ボリュームの最も最近の読み取りアクセスの日付、該ホストマシンによる該ボリュームの最も最近の読み取りアクセスの時刻、前記ディスクキャッシュ中の前記ボリュームを前記カートリッジへ転送した日付、および該ディスクキャッシュ中の該ボリュームを該カートリッジへ転送した時刻を含むことを特徴とする請求項１乃至７のいずれか一項に記載のコンピュータデータの保存方法。
【請求項９】
前記クライアントコンピュータにデータを復旧する際に前記永久媒体から前記バッファメモリへ転送されるデータは、前記基本データを含まないことを特徴とする請求項１乃至８のいずれか一項に記載のコンピュータデータの保存方法。
【請求項１０】
所定のサイズのボリュームに編成されたバッファメモリを制御するバックアップサーバと、永久媒体の読み取り−書き込みを行うステーションとを備え、前記サーバは、少なくとも１つのクライアントコンピュータとの通信インターフェースをデータ交換のために含む、データ保存機器であって、該サーバはまた、基本データを保存するデータベースと、該基本データを前記バッファメモリの前記ボリュームに一時的に記録されるデータと関連付け、データが前記永久媒体から前記バッファメモリへと転送される際には該基本データを削除する手段とを含むことを特徴とするデータ保存機器。
【発明の詳細な説明】
【０００１】
この発明は、コンピュータデータの保存の分野に関する。
【０００２】
最新技術には、コンピュータバックアップを行う機器が含まれ、当該機器は、バッファメモリ（たとえばハードディスク）を有するサーバと、永久媒体のリーダ−ライタの制御手段とを備える。
【０００３】
米国特許番号ＵＳ５，８０９，５１１もまた、ホストステーションと、補完（ｃｏｍｐｌｅｍｅｎｔａｒｙ）機器との間でデータを転送するシステムを開示し、当該補完機器は、キャッシュメモリと、バックアップ媒体を管理するロボット制御の機器とを備える。
【０００４】
米国特許番号ＵＳ５，９６３，９７１もまた、仮想ディスクを形成する媒体での記憶システムを開示する。
【０００５】
この発明の目的は、永久媒体のサイズを最適化し、データの復元を容易にする解決策を提案することである。
【０００６】
この発明は、その最も包括的な形態において、コンピュータデータをバックアップするプロセスに関し、当該プロセスは、バックアップするデータをクライアントコンピュータからバッファメモリへ転送することであって、当該バッファメモリは、バックアップサーバのハードディスクからなり、所定のサイズを有する複数のボリュームに編成される、転送することと、次に、データを上記バッファメモリから永久媒体（たとえば磁気カートリッジ）上へ転送することとを含み、なお特徴として、上記ボリュームに固有のデータシーケンス（基本データ）を当該ボリュームの各々の後、かつ永久媒体上への転送後に永久媒体上に記録し、当該方法はまた、基本データを保存するデータベースを作成するステップを含む。
【０００７】
基本データは、ボリューム開始カートリッジ上の論理アドレスと、ボリューム終了カートリッジ上の論理アドレスとを含む。
【０００８】
基本データは、ボリュームのおおよそのサイズを含む。
【０００９】
有利には、基本データは、ボリュームをディスクキャッシュからカートリッジへ転送するために用いられるドライブの番号と、ボリュームがカートリッジへ転送された時点で位置するディスクの番号とを含む。
【００１０】
基本データは、ボリュームがカートリッジ上へ転送される前に位置するディスクパーティションの番号を含む。
【００１１】
基本データは、ディスクキャッシュのボリュームをカートリッジへ転送するために用いられるプロセッサの番号を含む。
【００１２】
基本データは、ボリュームを収容するカートリッジのバーコードおよび／またはカートリッジの名前を含む。
【００１３】
基本データは、カートリッジのタイプを示す１６進コード、カートリッジ上に格納されるデータの合計サイズ、カートリッジの最大容量、カートリッジのロードカウンタ（ｌｏａｄｉｎｇ ｃｏｕｎｔｅｒ）の状態、ボリュームの状態を示す１６進コード、ボリュームが属する構成であるホストマシンの番号、ボリュームヘッダに用いられる文字コード、ホストマシンがボリュームに対して行った最も最近の書き込みまたは変更の日付、ホストマシンが行った最も最近の書き込みまたは変更の時刻、ホストマシンによるボリュームの最も最近の読み取りアクセスの日付、ホストマシンによるボリュームの最も最近の読み取りアクセスの時刻、ディスクキャッシュ中のボリュームをカートリッジへ転送した日付、およびディスクキャッシュ中のボリュームをカートリッジへ転送した時刻を含むデータの少なくとも一部を含む。
【００１４】
有利には、クライアントコンピュータにデータを復旧する際に永久媒体からバッファメモリへ転送されるデータは、基本データを含まない。
【００１５】
この発明はまた、データをバックアップする機器に関する。当該機器は、所定のサイズのボリュームに編成されたバッファメモリを制御するバックアップサーバと、永久媒体の読み取り−書き込みを行うステーションとを備え、上記サーバは、少なくとも１つのクライアントコンピュータとの通信インターフェースをデータ交換のために含み、なお特徴として、当該サーバはまた、基本データを保存するデータベースと、当該基本データをバッファメモリのボリュームに一時的に記録されるデータと関連付け、データが永久媒体からバッファメモリへと転送される際には当該基本データを削除する手段とを含む。
【００１６】
特にメインフレームの管理を対象とした一動作モードにおいて、ホストマシンによって書き込まれるデータボリュームをまず、この発明によるバックアップ機器によってバッファディスク空間中に作成する。これらのボリュームは、この発明によるバックアップ機器システムの構成時に決められた最大サイズを有し、当該サイズは通常かなり小さく、約２５０Ｍバイトである。第２にボリュームを、この発明によるバックアップ機器によってカートリッジへ転送し、１つまたはいくつかのコピーを作成する。本当に重要なデータのみがテープへ転送される。したがって、２５０Ｍバイトの最大ボリュームはたとえば、１０Ｍバイトのデータしか含まない場合がある。この場合、テープ空間を最大限に利用するために、これら１０Ｍバイトのみがテープへ転送される。
【００１７】
本バックアップ機器は、データベースを用いて、既知であるボリュームのリストを内部で管理し、次のような一定量のデータを格納する。
ボリュームの名前、
ボリュームが格納されている媒体（ディスク、カートリッジ）、
媒体上の位置（ディスクパーティションの番号、あるいはカートリッジ上の論理的な開始アドレスおよび終了アドレス）
など。
【００１８】
これらのデータは、ボリュームを見つけるために不可欠である。
【００１９】
データがディスクキャッシュからカートリッジへ転送される時点で、この発明によるバックアップ機器は、「基本データ」と呼ばれるプライベートデータを各ボリュームの転送の最後に付加する。これらのデータは、カートリッジ上にのみ書き込まれ、反対方向の転送時（ボリュームが、たとえばホストマシンによって復旧されるためにカートリッジからディスクキャッシュへ転送される場合）には無視される。したがって基本データは完全に、この発明によるバックアップ機器によって内部で、かつホストマシンに対してトランスペアレントに管理される。
【００２０】
所与のボリュームの基本データは、次の構造を有するＡＳＣＩＩ文字列の形式で書かれる。
Ｔｉｔｌｅ　ＣＲ　ＬＦ　ＶｏｌｕｍｅＳｔａｒｔｐｏｓｉｔｉｏｎ　ＶｏｌｕｍｅＥｎｄｐｏｓｉｔｉｏｎ　ＶｏｌｕｍｅＳｉｚｅ　ＲｅａｄｅｒＣｈａｎｎｅｌ　／
ＤｉｓｋＣｈａｎｎｅｌ　ＤｉｓｋＰａｒｔｉｔｉｏｎ　ＰｒｏｃｅｓｓｏｒＮｕｍｂｅｒ
ＢａｒＣｏｄｅ　ＣａｒｔｒｉｄｇｅＮａｍｅ
ＣａｒｔｒｉｄｇｅＴｙｐｅ　ＳｉｚｅＵｓｅｄ　ＣａｒｔｒｉｄｇｅＳｉｚｅ
ＬｏａｄＣｏｕｎｔｅｒ　ＶｏｌｕｍｅＮａｍｅ　ＶｏｌｕｍｅＳｔａｔｕｓ　ＨｏｓｔＣｏｄｅ　ＣｏｄｉｎｇＴｙｐｅ
Ｗｒｉｔｅｄａｔｅ　Ｗｒｉｔｅｔｉｍｅ　Ｒｅａｄｄａｔｅ　Ｒｅａｄｔｉｍｅ　ＥｍｐｔｙＤａｔｅ　ＥｍｐｔｙＴｉｍｅ　ＣＲ　ＬＦ
【００２１】
この文字列において、フィールドは互いに空白によって分離され、＼の文字は、ページレイアウトの理由のみで、残りの文字列が次の行で詳細に記述されることを示す。＼の文字は本物の基本データには現れない。
【００２２】
基本データフィールドの説明
Ｔｉｔｌｅ：続くメインフィールドの意味を省略形で示すタイトル。
ＣＲ：ＡＳＣＩＩ文字コード０ｘ１３（１６進）。
ＬＦ：ＡＳＣＩＩ文字コード０ｘ１０コード（１６進）。
ＶｏｌｕｍｅＳｔａｒｔＰｏｓｉｔｉｏｎ：カートリッジ上のボリュームの論理開始アドレス。
ＶｏｌｕｍｅＥｎｄＰｏｓｉｔｉｏｎ：カートリッジ上のボリュームの論理終了アドレス。
ＶｏｌｕｍｅＳｉｚｅ：ボリュームのおおよそのサイズ（ｋバイト）。
ＲｅａｄｅｒＣｈａｎｎｅｌ：ディスクキャッシュボリュームからカートリッジへの転送を行うために用いられるリーダの番号（この発明によるバックアップ機器の構成時に定義される）。
ＤｉｓｋＣｈａｎｎｅｌ：ボリュームがカートリッジへ転送された時点で位置するディスクの番号（この発明によるバックアップ機器の構成時に定義される）。
ＤｉｓｋＰａｒｔｉｔｉｏｎ：ボリュームがカートリッジへ転送される前に位置するディスクパーティションの番号。
ＰｒｏｃｅｓｓｏｒＮｕｍｂｅｒ：ディスクキャッシュのボリュームをカートリッジへ転送するために用いられるプロセッサの番号。
ＢａｒＣｏｄｅ：ボリュームを収容するカートリッジのバーコード。
ＣａｒｔｒｉｄｇｅＮａｍｅ：この発明によるバックアップ機器上で示されるカートリッジの名前。この名前は、バーコードとは関係ない。
ＣａｒｔｒｉｄｇｅＴｙｐｅ：カートリッジのタイプを示す１６進コード。考え得る値は次のとおりである。
０ｘ００００００１Ｌ　稼動中のカートリッジ
０ｘ００００００１０Ｌ　読み取りアクセスのあるカートリッジ
０ｘ００００００２０Ｌ　書き込みアクセスのあるカートリッジ
０ｘ００００００８０Ｌ　再編成中のカートリッジ
０ｘ０００００１００Ｌ　再編成すべきカートリッジ
０ｘ０００００２００Ｌ　再利用しないカートリッジ
０ｘ０００００４００Ｌ　ブロックされた空のカートリッジ
０ｘ０００００８００Ｌ　再編成されたカートリッジ
０ｘ００００１０００Ｌ　アーカイブタイプのカートリッジ
０ｘ００００２０００Ｌ　ミラータイプのカートリッジ
０ｘ０００１００００Ｌ　ＤＬＴリーダ用のカートリッジ
０ｘ０００２００００Ｌ　Ｅｘａｂｙｔｅリーダ用のカートリッジ
０ｘ０００４００００Ｌ　３４８０リーダ用のカートリッジ
０ｘ０００８００００Ｌ　３５９０リーダ用のカートリッジ
０ｘ０１Ｆ０００００Ｌ　カートリッジが属するアーカイブプールまたはミラーの番号のマスク
ＣａｒｔｒｉｄｇｅＴｙｐｅフィールドに用いるコードは、ことによると上記の値の組み合わせであり得る。
【００２３】
ＳｉｚｅＵｓｅｄ：カートリッジ上に格納されるデータの合計サイズ（Ｍバイト）。
ＣａｒｔｒｉｄｇｅＳｉｚｅ：カートリッジの最大容量（Ｍバイト）。
ＬｏａｄＣｏｕｎｔｅｒ：カートリッジのロードカウンタ。リーダにおいてカートリッジにロードを行った回数を示す。これらのデータは、カートリッジの消耗を判定するために用いられる。
ＶｏｌｕｍｅＮａｍｅ：ホストマシンによって分かるボリュームの名前。
ＶｏｌｕｍｅＳｔａｔｕｓ：ボリュームの状態を示す１６進コード。このコードは指示子（ｉｎｄｉｃａｔｏｒ）の組み合わせであり、当該指示子のアクセスマスクおよび考え得る値は次のとおりである。
【００２４】
０ｘ００００００１Ｌ　ボリュームが有効であれば１、無効（古いバージョンまたは論理的に消去されたボリューム）であれば０
０ｘ００００００８Ｌ　ボリュームがミラータイプであれば１
０ｘ００００００１０Ｌ　別のカートリッジにボリュームのミラーコピーがあれば１
０ｘ００００００２０Ｌ　このボリュームのコピーをミラーカートリッジ上に作成するのであれば１
０ｘ００００１０００Ｌ　ボリュームがアーカイブタイプであれば１
０ｘ００００２０００Ｌ　いくつかのホストシステムの間でボリュームが共有されるならば１
０ｘ０００１００００Ｌ　ボリュームを常にＤＬＴカートリッジ上にコピーしなければならないなら１
０ｘ０００２００００Ｌ　ボリュームを常にＥｘａｂｙｔｅカートリッジ上にコピーしなければならないなら１
０ｘ０００４００００Ｌ　ボリュームを常に３４８０カートリッジ上にコピーしなければならないなら１
０ｘ０００８００００Ｌ　ボリュームを常に３５９０カートリッジ上にコピーしなければならないなら１
０ｘ０１Ｆ０００００Ｌ　アーカイブプールまたはミラーの番号（０〜３１）
ＨｏｓｔＣｏｄｅ：ボリュームが属する、この発明によるバックアップ機器の構成であるホストマシンの番号。
【００２５】
ＣｏｄｉｎｇＴｙｐｅ：ボリュームヘッダに用いられる文字コード（０＝ＡＳＣＩＩ、１＝ＥＢＣＤＩＣ）。
ＷｒｉｔｅＤａｔｅ：ホストマシンによるボリュームの最も最近の書き込みまたは変更の日付（形式はｙｙｙｙ−ｍｍ−ｄｄ）。
ＷｒｉｔｅＴｉｍｅ：ホストマシンによるボリュームの最も最近の書き込みまたは変更の時刻（形式はｈｈ：ｍｍ：ｓｓ）。
ＲｅａｄＤａｔｅ：ホストマシンによるボリュームの最も最近の読み取りアクセスの日付（形式はｙｙｙｙ−ｍｍ−ｄｄ）。
ＲｅａｄＴｉｍｅ：ホストマシンによるボリュームの最も最近の読み取りアクセスの時刻（形式はｈｈ：ｍｍ：ｓｓ）。
ＥｍｐｔｙＤａｔｅ：ディスクキャッシュボリュームがカートリッジへ転送された日付（形式はｄｄ−ｍｍ−ｙｙｙｙ）。
ＥｍｐｔｙＴｉｍｅ：ディスクキャッシュボリュームがカートリッジへ転送された時刻（形式はｈｈ：ｍｍ：ｓｓ）。
【００２６】
基本データの蓄積
データベース復元のためのカートリッジの解析の速度を速めるために、基本データは累積的である。
【００２７】
テープがボリュームＶ１、Ｖ２、Ｖ３、Ｖ４およびＶ５を収容するものと仮定する。これらのボリュームのそれぞれに関連する基本データを、Ｂ１、Ｂ２、Ｂ３、Ｂ４およびＢ５と呼ぶ。したがって、テープは以下を収容する。
【００２８】
【表１】
2004505344.tif 000002
【００２９】
基本データＢ１は、ボリュームＢ１に関連するデータのみを含む。基本データＢ２は、Ｂ１の累積データと、ボリュームＶ２に関するデータとを単一のデータレコードに含む。したがって、Ｂ２はＶ１およびＶ２のデータを収容する。
【００３０】
基本データＢ３は、Ｂ２の累積データと、ボリュームＢ３に関するデータとを単一のデータレコードに含む。したがって、Ｂ３はＶ１、Ｖ２およびＶ３のデータを含む。
【００３１】
以下同様である。
【００３２】
したがって、カートリッジ上の最後の基本データ（上記の例ではＢ５）は、カートリッジ上に存在するボリュームに関する全データの累積合計を含む。
【００３３】
カートリッジが、非常に多数のボリュームを収容する場合、累積される基本データは大きくなり得る。このサイズの増大を制限するために、最大サイズを任意に１３２ｋバイトに定めている。あるボリュームの基本データの標準構造が１３２ｋバイトを超えると、この発明によるバックアップ機器は、縮小した基本データをこのボリュームに割り当て、以前のボリュームのデータを累積せずにこの新しいボリュームの基本データのみを収容する。その後のボリュームには、現ボリュームのデータを前のボリュームのデータとともに累積する標準機構を繰り返すことになる。
【００３４】
縮小した基本データでは、記述される単一ボリュームのＶｏｌｕｍｅＡｄｄｒｅｓｓフィールド（カートリッジ上のボリュームが開始する論理アドレス）は、０以外のアドレスを含む。
【００３５】
例
カートリッジがｎ＋１個のボリュームを収容するものと仮定する。ｎ番目のボリューム（Ｖｎ）は、Ｂｎとして示す完全な基本データを含み、よって最初のｎ個のボリュームのデータのリストを含む。Ｂｎに記述される１番目のボリュームＶ１は、ＶｏｌｕｍｅＡｄｄｒｅｓｓフィールドが０で示される。カートリッジはまた、ボリュームＶｎおよびその基本データＢｎの後に、ボリュームＶｎ＋１および縮小されたものと仮定する基本データＢｎ＋１を収容する。これは、Ｂｎ＋１がボリュームＶｎ＋１のデータのみを含み、ボリュームＶｎ＋１はカートリッジの最初にないため、カートリッジ上のボリュームＶｎ＋１の位置を示すＶｏｌｕｍｅＡｄｄｒｅｓｓフィールドが０よりも大きいアドレスにあることを意味する。したがって、カートリッジ上の最後の基本データ（Ｂｎ＋１）を解析すれば、これらのデータが縮小されていることを発見するのは非常に容易であり（ａｎ＋１＞０であるため）、前の基本データ（Ｂｎ）はカートリッジ上でアドレスａｎ＋１の直前に位置するものと推定することができる。
【００３６】
【表２】
2004505344.tif 000003
【００３７】
基本データの取り出し
この発明によるバックアップ機器システム上のデータベースが完全に失われた場合、これらの基本データを用いて、データベースを完全に復元することができる。
【００３８】
この発明によるバックアップ機器のプロセッサのコードに組み込まれた関数は、カートリッジを解析して最も最近の基本データをカートリッジから抽出するために用いられる。この解析は外部ソフトウェアによっても行うことができ、必要なのは、テープの最後に移動し、１レコード遡って、最後のデータレコードを読み出すことだけである。
【００３９】
このようにカートリッジの最後で取り出した基本データは、カートリッジ上のボリュームの記述を含む。前節で述べたように、１番目のボリュームのＶｏｌｕｍｅＡｄｄｒｅｓｓフィールドが０でない値を含む場合、これは、１番目のボリュームがテープの最初でないことを意味する。結果として、基本データは縮小されていることになる。この場合、必要なのは、カートリッジ上のアドレスＶｏｌｕｍｅＡｄｄｒｅｓｓに移動し、次に１レコード遡って、前のボリュームの基本データを読み出すことだけである。次にこれらのデータは、以前のボリュームの基本データとともに累積される。
【００４０】
カートリッジは、１番目のボリュームのＶｏｌｕｍｅＡｄｄｒｅｓｓフィールドが０である基本データが見つかるまで繰り返し逆方向に読み出すことができる。すると、取り出した基本データ全部を累積することによって、カートリッジ中の全ボリュームが分かる。
【００４１】
基本データからのデータベースの復元
データベースの復元には、ライブラリの全カートリッジに格納されている全ての基本データを取り出し、次に適切なソフトウェアを用いて解析することが必要である。これらのデータには、データベースの復元に必要なデータが含まれる。
【００４２】
この動作における第１ステップは、全てのカートリッジ上に収容されている全ボリュームのリストを作り、また、カートリッジ上の各ボリュームがホストマシンに対して有効であるか否かを判定することである。（同一名、同一ホストシステムの）単一ボリュームが、いくつかの異なるカートリッジに、あるいは同一カートリッジ上のいくつかの異なる場所に格納される場合がある。これは、以下の理由で起こり得る。
同一ボリュームに、ホストマシンによって何回か更新されているいくつかの異なるバージョンがあるか、
あるいはデータは同じで、この発明によるバックアップ機器によって内部で移動されている。
【００４３】
いずれにせよ、このボリュームの全ての出現について基本データＷｒｉｔｅＤａｔｅおよびＷｒｉｔｅＴｉｍｅを解析することにより、どれが最も最近のコピーであるか、ひいては唯一の有効なコピーであるかが示される。最も最近のバージョンがいくつかの場所に存在する場合（ＷｒｉｔｅＤａｔｅおよびＷｒｉｔｅＴｉｍｅデータは同じ）、これらの出現のうちいずれか１つを用いて、新しいデータベースにおけるボリュームの有効なバージョンとすることができる。
【００４４】
その場合、必要なのは、この発明によるバックアップ機器に空のデータベースを再度作成し、全てのテーブルに収集したデータを書き込むことだけである。
【国際公開パンフレット】
2004505344.tif 000004
2004505344.tif 000005
2004505344.tif 000006
2004505344.tif 000007
2004505344.tif 000008
2004505344.tif 000009
2004505344.tif 000010
2004505344.tif 000011
2004505344.tif 000012
2004505344.tif 000013
2004505344.tif 000014
2004505344.tif 000015
2004505344.tif 000016
2004505344.tif 000017
2004505344.tif 000018
2004505344.tif 000019
2004505344.tif 000020
【国際調査報告】
2004505344.tif 000021
2004505344.tif 000022
2004505344.tif 000023
2004505344.tif 000024